【事件の表示】
　特許第３４２６２０２号「排水設備の配管方法および合流桝」の請求項１、４に係る特許に対する特許異議の申立てについて、次のとおり決定する。
【結　論】
　特許第３４２６２０２号の請求項１、４に係る特許を維持する。
【理　由】
【１】本件発明について
　特許第３４２６２０２号（平成１２年９月２７日出願、平成１５年５月９日設定登録）の請求項１及び４に係る発明は、それぞれ、特許請求の範囲の請求項１及び４に記載された次の事項により特定されるとおりのものである。
【請求項１】　側面または上流端に形成された複数の枝管流入口を有し、建物の床下に設置された合流桝の前記枝管流入口に、建物内の少なくとも１つ以上の排水設備を排水管にてそれぞれ配管し、前記合流桝の下流端に形成された流出口を、前記建物の屋外に設置される排水桝に、建物の基礎を貫通させた排水管にて配管し、前記合流桝の枝管流入口それぞれの基端上面に掃除口を開口し、これら掃除口のそれぞれに蓋体を取り付けることを特徴とする排水設備の配管方法。　（以下、「本件発明１」という。）
【請求項４】　建物の床下に設置される合流桝体と、この合流桝体の側面または上流端に形成され、建物の排水設備が排水管にて配管される複数の枝管流入口と、これら枝管流入口それぞれの基端上面に開口された掃除口と、これら掃除口のそれぞれに取り付けられた蓋体と、前記合流桝体の下流端に形成され、前記建物の屋外に設置される排水桝に、建物の基礎を貫通させた排水管にて配管される流出口とを具備していることを特徴とした合流桝。　　（以下、「本件発明２」という。）
　
【２】申立ての理由の概要
　申立人高橋亮子は、本件発明１及び２は、本件の出願日前の他の出願であって、その出願後に出願公開された特願２０００−２９１１４号(先願)の願書に最初に添付された明細書又は図面に記載された発明と同一であるから、特許法第２９条の２第１項に該当し、その特許は、特許法第１１３条第１項第２号に該当するので取り消されるべきものである旨主張し、証拠として甲第１号証（特開２００１−２２０７８９号公報）を提出している。
　
【３】先願（特願２０００−２９１１４号）記載の発明
（１）先願の願書に最初に添付された明細書又は図面には、以下の事項が記載されている（記載内容は甲第１号証参照）。 
「【０００１】【発明の属する技術分野】本発明は、住宅用排水システムに関する。」、
「【００２７】図１において、２は宅地１内に建てられている建物である。建物２の床下の外周基礎４の内側の防湿コンクリート（あるいは盛土）４６上にヘッダー８が配置されている（図３を参照）。このヘッダー８は、建物２内に設置されているトイレ２１，洗面所２２，洗濯機２３，浴室２４，台所２５などの排水設備にて生じた排水を一箇所に集水して排水するための機能を有するものである。
【００２８】次いで、合流桝体31の上流端にキャップ体32を取り付けるとともに、この合流桝体31の下流端のボルト孔36とソケット38のボルト孔40とを連通させて、この連通したボルト孔36，40間をボルトおよびナットで接続し、建物12内の各排水設備21，22，23，24，25の数と同数の枝管流入口33a，33b，33c……を有する合流桝11を形成する。
【００２９】ヘッダー８の分岐流入側の各受け口８１ａに、建物２内に設置されているトイレ２１，洗面所２２，洗濯機２３，浴室２４，台所２５などの排水設備に接続されている各排水枝管５１の流出側端部が接続されている。なお、トイレ２１と接続されている排水枝管５１は、図２に示すように、内側基礎４１に設けられた孔４１ａを貫通して配管されている。なお、各排水枝管５１の一部は蛇腹状あるいは螺旋状とされ、曲げ配管ができるように可撓性が付与されている。
【００３０】ヘッダー８と台所２５との間は、図２に示すように、排水枝管５１がＬ字状に配管されて接続されており、この排水枝管５１の曲がり部には９０度大曲りＹ継手５２が接着接続され、このＹ継手５２の受け口内に栓体５３が着脱自在に装着されて掃除口とされている。この栓体５３の形状はＹ継手５２内にスムーズな流路が形成されるようになされている。
【００３１】同様に、ヘッダー８と浴室２４との間を接続している排水枝管５１の曲がり部にも９０度大曲りＹ継手５２が接着接続され、このＹ継手５２の受け口内に上記と同一の栓体５３が着脱自在に装着されて掃除口とされている。
【００３２】このように、浴室２４および台所２５とヘッダー８との間を接続している両排水枝管５１の曲がり部に掃除口を設けることによって、この掃除口を通じて両排水枝管５１内の点検や掃除を行えるようになっている。
【００３３】なお、曲がり部に９０度大曲りＹ継手５２を配管接続する代わりに、各排水枝管５１の直線部にＴ字状あるいはＹ字状の三方管継手を接続し、この管継手の分岐部の開口端内に栓体を装着し、この栓体を取り外して、各排水枝管５１内の点検や清掃を行えるようにしてもよい。
【００３４】そして、ヘッダー８の流出側受け口８２ａに、９０度曲がり継手を介して、排水主管３の上流側端部が接着接続され、この排水主管３の下流側端部が建物２の外周基礎４の外側地中に埋設された排水桝６の流入側受け口６１と接着接続され、この排水桝６の流出側受け口６２に排水主管３Ａが接着接続され、この排水主管３Ａの下流側端部が公共桝７の流入側受け口と接着接続され、この公共桝７を通じて建物２内の各排水設備２１〜２５にて生じた排水が下水道本管（図示せず）に排水されるようになっている。なお、排水主管３，３Ａはともに口径１００ｍｍの灰色に着色した不透明な硬質塩化ビニル樹脂製のものである。
【００３５】　外周基礎４の孔４ａを貫通して屋外に突出されている排水主管３の下流側先端と、建物２の外周基礎４の外側地中に埋設された排水桝６の流入側受け口６１との間は、図４に示すように、９０度大曲りＹ継手３４，短管３５および９０度エルボ継手３６を介して接続されている。９０度大曲りＹ継手３４の上端受け口３４１内には栓体３４２が着脱自在に装着されている。」、
「【００３８】なお、図２の実施例では、排水主管３として、灰色に着色した不透明な硬質塩化ビニル樹脂管を用いたが、たとえば透明な硬質塩化ビニル樹脂管を用いることも可能である。排水主管３を透明なものとすることによって、排水管路内の点検を外部から目視にて行うことが可能となり、排水管路の点検作業を作業性よく簡単に行える。なお、排水主管３の断面形状は円形に限定されず、卵形であってもよい。
【００３９】同様に、ヘッダー８を透明な合成樹脂製のものとすることで、ヘッダー８内の点検を外部から目視にて行うことが可能となり、ヘッダー８端部の掃除口を通じてヘッダー８内の掃除を行える。」、
「【００４３】図６（ａ）のヘッダー８Ａは、円筒状のヘッダー本体８１の上側壁部に、所定の間隔をおいて、５個の流入側の接続部８１ａを形成し、ヘッダー本体８１の一端開口を蓋体８３にて閉塞することで掃除口とするとともに、他端部を流出側の受け口８２ａとしたものである。
【００４４】また、図６（ｂ）のヘッダー８Ｂは、ヘッダー本体８１の一端に掃除口を設ける代わりに、ヘッダー本体８１の側部に流入側の各接続部８１ａに対応した５個の円形の開口を形成し、各開口を蓋体８３にて閉塞することで掃除口としたものである。」。
　
（２）ここで、図６（ｂ）の各接続部８１ａに対応した５個の蓋体３８については、「図６（ａ）のヘッダー８Ａは、円筒状のヘッダー本体８１の上側壁部に、所定の間隔をおいて、５個の流入側の接続部８１ａを形成し、ヘッダー本体８１の一端開口を蓋体８３にて閉塞することで掃除口とする」（【００４３】）とあり、「図６（ｂ）のヘッダー８Ｂは、ヘッダー本体８１の一端に掃除口を設ける代わりに、ヘッダー本体８１の側部に流入側の各接続部８１ａに対応した５個の円形の開口を形成し、各開口を蓋体８３にて閉塞することで掃除口とした」（【００４４】）と記載されているから、図６（ｂ）の接続部８１ａも、円筒状のヘッダー本体８１の上側壁部に形成したものであり、ヘッダー本体８１の側部に、流入側の各接続部８１ａに対応した５個の円形の開口を形成し、各開口を掃除口とし、蓋体８３にて閉塞するものである。上記（１）に摘記した事項及び対応する図面によると、甲第１号証には、次の発明（以下、「先願発明」という。）が記載されていると認められる。
　
「 上側壁部に５個の流入側の接続部８１ａに対応した５個の円形の開口を形成し、建物２の床下の外周基礎４の内側の防湿コンリート４６上にヘッダー８が配置され、ヘッダー８の分岐流入側の各受け口８１ａに、建物２内に設置されているトイレ２１、洗面所２２，洗濯機２３、浴室２４，台所２５、などの排水設備に接続されている各排水枝管５１の流出側端部が接続され、ヘッダー８の流出側受け口８２ａに、９０度曲がり継手を介して、排水主管３の上流側端部が接着され、この排水主管３の下流端側部が建物２の外周基礎４の外側の排水桝６の流入側受け口６１と接着接続され、外周基礎４の孔４ａを貫通して屋外に突出されている排水主管３を装着し、ヘッダー本体８１の側部に流入側の各接続部８１ａに対応した開口を形成し掃除口とし、各開口を蓋体８３にて閉塞する排水システム配管方法。」
　　
【４】対比・判断
（１）本件発明１と先願発明を対比すると、先願発明の「５個の流入側の接続部８１ａ」、「ヘッダー８」、「ヘッダー８の分岐流入側の各受け口８１ａに、建物２内に設置されているトイレ２１、洗面所２２，洗濯機２３、浴室２４，台所２５、などの排水設備に接続されている各排水枝管５１の流出側端部が接続され」、「外周基礎４」、「排水主管３」、「各開口を蓋体８３にて閉塞」、及び「排水システム」は、本件発明１の「複数の枝管流入口」、「合流桝」、「建物内の少なくとも１つ以上の排水設備を配水管にてそれぞれ配管し」、「基礎」、「配水管」、「掃除口に蓋体を取り付ける」、及び「排水設備」にそれぞれ相当するから、
　両者は、「複数の枝管流入口を有し、建物の床下に設置された合流桝の前記枝管流入口に、建物内の少なくとも１つ以上の排水設備を排水管にてそれぞれ配管し、前記合流桝の下流端に形成された流出口を、前記建物の屋外に設置される排水桝に、建物の基礎を貫通させた排水管にて配管し、前記合流桝の枝管流入口それぞれの基端に掃除口を開口し、これら掃除口のそれぞれに蓋体を取り付ける配管方法。」
の点で一致するものの、本件発明１が、合流桝の側面または上流端に枝管流入口を形成し、枝管流入口の基端上面に掃除口を開口するのに対し、先願発明は、合流桝の、上側壁部に枝管流入口を、側部に掃除開口を形成している点で相違している。
　そして、上記相違点に係る構成が先願明細書又は図面に記載されているに等しいとすることはできない。
　したがって、本件発明１は、先願発明であるとすることはできない。
　
（２）本件発明２と先願発明を対比すると、先願発明の「ヘッダー８」、「５個の流入側の接続部８１ａ」、「各開口を蓋体８３にて閉塞」、「外周基礎４」、及び「排水主管３」は、本件発明２の「合流桝体」、「複数の枝管流入口」、「掃除口のそれぞれに取り付けられた蓋体」、「基礎」、及び「配水管」にそれぞれ相当するから、
　両者は、「建物の床下に設置される合流桝体と、この合流桝体に形成され、建物の排水設備が排水管にて配管される複数の枝管流入口と、これら枝管流入口それぞれに開口された掃除口と、これら掃除口のそれぞれに取り付けられた蓋体と、前記合流桝体の下流端に形成され、前記建物の屋外に設置される排水桝に、建物の基礎を貫通させた排水管にて配管される流出口とを具備している合流桝。」である点で一致するものの、本件発明２が、合流桝体の側面または上流端に枝管流入口を形成し、枝管流入口の基端上面に掃除口を開口するのに対し、先願発明は、合流桝体の、上側壁部に枝管流入口を、側部に掃除開口を形成している点で相違している。
　そして、上記相違点に係る構成が先願明細書又は図面に記載されているに等しいとすることはできない。
　したがって、本件発明２は、先願発明であるとすることはできない。
　
　なお、特許異議申立人は、特許異議申立書第７頁第７行〜第１３行において、「甲第１号証第４頁左欄第３４行〜第３９行及び第７頁図２には、ヘッダー８の側面に複数の分岐流入側の受け口８１ａ（枝管流入口３３に相当）を形成してあることが記載され、又、開示されている。」旨記載しているが、この実施例のものは、例えば【００３１】に「同様に、ヘッダー８と浴室２４との間を接続している排水枝管５１の曲がり部にも９０度大曲りＹ継手５２が接着接続され、このＹ継手５２の受け口内に上記と同一の栓体５３が着脱自在に装着されて掃除口とされている。」と記載されているように、ヘッダー８（合流桝（体）に相当）に、掃除口を開口した技術的事項を示すものではない。
　
【５】むすび
　以上のとおりであるから、特許異議申立ての理由及び証拠によっては、本件発明１及び２の特許を取り消すことはできない。
　また、他に本件発明１及び２の特許を取り消すべき理由を発見しない。
　よって、結論のとおり決定する。
【異議決定日】
平成１６年６月１５日（２００４．６．１５）